(57)【要約】【課題】  大掛かりな装置を使用することなく、既存の設備にバルブ等からなる簡単な設備を付加するだけで送水管等の洗浄を可能とすること。【解決手段】  放水管７に設けられた放水管開閉ボールバルブＶ２を開き、揚水用ボールバルブＶ５を閉じる。また、氷投入口６から氷を投入し、氷投入口ボールバルブＶ３を閉じる。ついで、逆送用ゲートバルブＶ４を開き、散水送水ポンプＰ２−１を運転し、圧力タンク３０に圧送される水を分岐管５−１を介して揚水送水管１に逆送させ、揚水送水管１の内部に付着した汚泥など洗浄する。汚泥を含む水は放水管７から調整池１０に流れ落ちる。なお、浄化槽からの汚水を調整池１０に排水する汚水管を洗浄する手段を付加し、圧力タンク３０の貯留した水を汚水管に圧送し、汚水管を洗浄するようにすることもできる。【選択図】          図１
0003109919.tif 000002
【実用新案登録請求の範囲】
【請求項１】
調整池に貯留された雨水、排水を第１のポンプによりくみ上げ、第１の送水管を介して受水槽に送水し、受水槽に貯留された水を第２のポンプにより圧力タンクに圧送し、圧力タンクから第２の送水管を介して需要端に給水する給水装置であって、
上記給水装置には、上記第１の送水管を洗浄するための洗浄手段が設けられ、
上記洗浄手段は、第１の送水管洗浄時に閉じられる上記第１の送水管の受水槽側の端部に設けられた第１のバルブと、第１のバルブの近傍の上記第１の送水管に設けられた第１、第２の分岐路と、
送水管洗浄時に開放され、上記第１の分岐路を圧力タンクに接続する第２のバルブと、  上記第２の分岐路の端部に設けられた氷投入口と、氷投入時に開放されそれ以外の時に閉じられる上記第２の分岐路に設けられた第３のバルブを有する
ことを特徴とする給水装置。
【請求項２】
調整池に貯留された雨水、排水を第１のポンプによりくみ上げ、第１の送水管を介して受水槽に送水し、受水槽に貯留された水を第２のポンプにより圧力タンクに圧送し、圧力タンクから第２の送水管を介して需要端に給水するとともに、建物などで生ずる排水を浄化するための浄化槽が設けられ、該浄化槽から上記調整池に汚水を排出するための汚水管が設けられた給水装置であって、
上記給水装置には、上記第１の送水管を洗浄するための第１の洗浄手段と汚水管を洗浄するため第２の洗浄手段が設けられ、
上記第１の洗浄手段は、第１の送水管洗浄時に閉じられる上記第１の送水管の受水槽側の端部に設けられた第１のバルブと、第１のバルブの近傍の上記第１の送水管に設けられた第１、第２の分岐路と、
送水管洗浄時に開放され、上記第１の分岐路を圧力タンクに接続する第２のバルブと、  上記第２の分岐路の端部に設けられた氷投入口と、氷投入時に開放されそれ以外の時に閉じられる上記第２の分岐路に設けられた第３のバルブとから構成され、
上記第２の洗浄手段は、上記汚水管と上記需要端に給水する第２の送水管とを接続する第３の分岐路と、該第３の分岐路に設けられ上記汚水管の洗浄時に開放される第４のバルブから構成される
ことを特徴とする給水装置。
【考案の詳細な説明】
【技術分野】
【０００１】
本考案は、管内部の洗浄手段を備えた給水装置に関し、特に、雨水や、汚水管を介して流入する排水などが貯められる調整池から水をくみ上げて、揚水送水管を介して受水槽に送水して貯留し、受水槽から圧力タンクに圧送し、送水管を介して需要端に送水するゴルフ場などに用いられる管内部の洗浄手段を備えた給水装置に関するものである。
【背景技術】
【０００２】
図４にゴルフ場における給水／排水系統を示す。同図に示すように、ゴルフ場には、排水、雨水などが流れ込む調整池１０が設けられ、調整池１０に貯留された水は、ポンプＰ１により揚水送水管１を介して受水槽２０にくみ上げられる。受水槽２０に貯留された水は、ポンプＰ２により圧力タンク３０に圧送され、圧力タンク３０から散水送水管２を介して、コースに送られ、グリーン等に散水される。
一方、クラブハウスや管理棟などの排水は、浄化槽４０から汚水管３を介して、調整池１０に送られて貯留される。
【０００３】
図５は、上記図４に示した給水／排水系統における給水系統の構成例を示す図である。  調整池１０に貯留された水は、ポンプＰ１により揚水送水管１を介して受水槽２０にくみ上げられる。揚水送水管１には揚水用ボールバルブＶ５が設けられている。
受水槽２０に貯留された水は、ポンプＰ２−１，Ｐ２−２により給水管４−１，４−２を介して圧力タンク３０に圧送され、圧力タンク３０から散水送水管１を介してコースに送られる。
ポンプＰ１は揚水ポンプ盤１１に接続されており、揚水ポンプ盤１１により始動、停止の制御が行われる。同様にポンプＰ２−１、Ｐ２−２にも散水送水ポンプ盤２１が接続されており、散水送水ポンプ盤２１により始動、停止の制御が行われる。
【０００４】
上記給水／排水系統において、調整池１０から受水槽２０に送水する揚水送水管１の内部には、ヘドロなどの汚泥が付着する。上記揚水送水管１の内部に汚泥が付着すると、送水効率が低下し、ポンプＰ１の稼働時間が長くなり、電力消費量などが増加する。
このため、上記揚水送水管１の内部を時々洗浄し、内部に付着した汚泥などを除去する必要がある。
また、浄化槽４０から汚水を調整池１０に送水する汚水管３の内部にも、汚泥が付着する。汚水管３の内部に汚泥が付着すると、汚水の流れが悪くなる。このため、汚水管３も時々洗浄し、内部に付着した汚泥などを除去する必要がある。
【０００５】
従来から、管の内部を洗浄する方法として、種々の方法が提案されている。
例えば、特許文献１には、給水管内に圧縮空気を繰り返しパルス状に射出して管内洗浄を行う技術が開示されている。
また、特許文献２には、洗浄を要する配管の一端に、空気気流中に氷と水の混合流体を断続的に供給できる供給装置を接続し、配管の末端に空気または空気と混合気体を吸引・排気する排気装置を接続して配管内を洗浄する技術が開示されている。
【特許文献１】特開２００４−３２１８４２号公報
【特許文献２】特開２００４−２５７６０４号公報
【考案の開示】
【考案が解決しようとする課題】
【０００６】
上記特許文献１や特許文献２に記載されるものは、圧縮空気を繰り返しパルス状に射出する装置や、空気気流中に氷と水の混合流体を断続的に供給する装置を必要とし、コストがかかるとともに、既存の設備に簡単に付加することは難しい。
特に図４に示したゴルフ場などの給水／排水系統における送水管、汚水管は比較的管径も太く、これらの管を洗浄する装置も大掛かりなものになる。
本考案は上記事情に鑑みなされたものであって、本考案の目的は、大掛かりな装置を使用することなく、既存の設備を有効に利用し、既存の設備にバルブ等からなる簡単な設備を付加するだけで送水管等の洗浄を可能とすることである。
【課題を解決するための手段】
【０００７】
（１）調整池に貯留された雨水、排水を第１のポンプによりくみ上げ、第１の送水管を介して受水槽に送水し、受水槽に貯留された水を第２のポンプにより圧力タンクに圧送し、圧力タンクから第２の送水管を介して需要端に給水する給水装置において、上記給水装置に、上記第１の送水管を洗浄するための洗浄手段が設ける。
上記洗浄手段は、第１の送水管洗浄時に閉じられる上記第１の送水管の受水槽側の端部に設けられた第１のバルブと、第１のバルブの近傍の上記第１の送水管に設けられた第１、第２の分岐路と、送水管洗浄時に開放され上記第１の分岐路を圧力タンクに接続する第２のバルブと、上記第２の分岐路の端部に設けられた氷投入口と、氷投入時に開放されそれ以外の時に閉じられる上記第２の分岐路に設けられた第３のバルブから構成される。
（２）上記（１）の給水装置において、建物などで生ずる排水を浄化するための浄化槽から上記調整池に汚水を排出するための汚水管と、上記需要端に給水する第２の送水管とを、第３の分岐路で接続する。そして、該第３の分岐路に、上記汚水管の洗浄時に開放される第４のバルブが設ける。
【考案の効果】
【０００８】
本考案においては、以下の効果を得ることができる。
（１）既存の設備に、第１のバルブ、第２のバルブと、第１、第２の分岐路と、氷投入口と、氷投入時に開放されそれ以外の時に閉じられる第３のバルブを付加し、圧力タンクに圧送される水を利用して、管内部の洗浄を行うようにしたので、大掛かりな装置を使用することなく、既存に設備に簡単な設備を付加するだけで送水管内部の洗浄を行うことが可能となる。
このため、送水管内部の洗浄を簡単に行うことが可能となり、送水ポンプの送水効率を向上させることができ、ランニングコストを低下させることができる、省エネを図ることができる。
（２）氷を投入し、管内部に水とともに氷を流すようにしたので、管壁についた汚泥等を氷により掻き落すことができ、管内部に付着した汚泥などを効果的に除去することができる。また、氷は時間が経過すれば融けるので、管の途中で詰まっても問題は生じない。
（３）上記給水装置において、汚水管と需要端に給水する第２の送水管とを、第３の分岐路で接続し、第３の分岐路に第４のバルブが設けることで、圧力タンクの水を利用して汚水管の洗浄を行うこともでき、上記給水装置における水の再利用を効果的に行うことが可能となる。
【考案を実施するための最良の形態】
【０００９】
図１は本考案の実施形態を示す図である。前記したように、調整池１０に貯留された水は、ポンプＰ１により揚水送水管１を介して受水槽２０にくみ上げられる。受水槽２０に貯留された水は、ポンプＰ２−１，Ｐ２−２により給水管４−１，４−２を介して圧力タンク３０に圧送され、圧力タンク３０から散水送水管１を介してコースに送られる。
ポンプＰ１は揚水ポンプ盤１１に接続されており、揚水ポンプ盤１１により始動、停止の制御が行われる。同様にポンプＰ２−１、Ｐ２−２にも散水送水ポンプ盤２１が接続されており、散水送水ポンプ盤２１により始動、停止の制御が行われる。なお、図１では、２台のポンプＰ２−１、Ｐ２−２を使用する場合について示しているが、一台であってもよい。
【００１０】
本考案では、上記給水装置において、揚水送水管１の洗浄手段として、上記給水管４−１と揚水送水管１の受水槽側とを接続する第１の分岐管５−１が設けられ、分岐管５−１に揚水送水管１の洗浄時に開かれる逆送用ゲートバルブＶ４が設けられている。
また、揚水送水管１の上記分岐管５−１の近傍に第２の分岐管５−２が接続され、分岐管５−２の他端に氷投入口６が設けられ、揚水送水管１の接続部と氷投入口６の間に氷投入時に開かれる氷投入口ボールバルブＶ３が設けられている。
さらに、揚水送水管１の調整池１０側には、放水管７が接続され、放水管７の他端は調整池１０側に開放されており、放水管７には、送水管洗浄時に開かれる放水管開閉用ボールバルブＶ２が設けられている。また、揚水送水管１の受水槽２０側には、受水槽ゲートバルブＶ１が設けられている。
【００１１】
図２は、上記洗浄手段による送水管洗浄時の上記バルブの開閉状態を説明する図である。以下、図２により、揚水送水管１の内部の洗浄について説明する。なお、図２中で黒で塗りつぶされたバルブは閉じていることを示し、白抜きで示されたバルブは開いていることを示す。
（１）揚水ポンプＰ１、散水送水ポンプＰ２−１、Ｐ２−２の自動運転を停止し、手動運転モードに切り替え、これらのポンプを停止する。
なお、調整池１０と受水槽２０の間は数百ｍはなれていることがあるので、調整池１０と受水槽２０の近傍に、それぞれ人を配置して連絡を取りながら行う。なお、中央にこれらのポンプ盤を制御する制御盤が設けられている場合には、その必要はない。
【００１２】
（２）図２（ａ）に示すように、放水管７に設けられた放水管開閉ボールバルブＶ２を開き、揚水用ボールバルブＶ５を閉じる。また、受水槽ゲートバルブＶ１を閉じる。この状態では、逆送用ゲートバルブＶ４は閉じている。
次に、氷投入口ボールバルブＶ３を開いて、氷投入口６から氷を投入し、氷投入口ボールバルブＶ３を閉じる。なお、氷投入口から投入する氷は、２〜５ｃｍ角の市販されている立方体形状の氷でよい。
【００１３】
（３）図２（ｂ）に示すように、逆送用ゲートバルブＶ４を開き、散水送水ポンプＰ２−１を手動で運転する。これにより、図２（ｂ）に示すように、圧力タンク３０に圧送される水が、分岐管５−１から揚水送水管１に逆送される。氷投入口６から氷が投入されているので、氷によって揚水送水管１の内部に付着した汚泥などを掻き落しながら、この水は氷とともに、揚水送水管１内を逆送される。そして、汚泥を含む水は、放水管７から調整池１０に流れ落ちる。
（４）上記（２）（３）の手順を必要に応じて４〜５回繰り返すことにより、揚水送水管１内に付着した汚泥などを除去することができる。
【００１４】
図３は、上記送水管洗浄手段に加えて、浄化槽４０から汚水を調整池１０に排出する汚水管を洗浄する汚水管洗浄手段を設けた場合の構成例を示す図である。
同図に示すように、汚水管洗浄手段は、散水送水管１と汚水管３の浄化槽４０側を接続する接続管８と、接続管８に設けられた汚水管洗浄用ゲートバルブＶ７とから構成される。なお、図３に示すように、散水送水管１に散水用ゲートバルブＶ６を設けて、汚水管３の洗浄時、散水用ゲートバルブＶ６を閉じて、コースへの散水を停止するようにしてもよい。
汚水管３を洗浄するには、図３において、汚水管洗浄用ゲートバルブＶ７を開き、必要に応じて散水用ゲートバルブＶ６を閉じ、圧力タンク３０から汚水管３に水を圧送する。  これにより、汚水管３内部に付着した汚泥などは、水とともに調整池１０に流れ落ち、汚水管内部の汚泥などを除去することができる。なお、この場合にも、図１に示したように、氷を投入して、氷とともに水を流すようにしてもよい。これにより一層効果的に、汚水管内部を洗浄することができる。
【図面の簡単な説明】
【００１５】
【図１】本考案の洗浄手段の構成を示す図である。
【図２】送水管洗浄時のバルブの開閉状態を説明する図である。
【図３】汚水管を洗浄する手段を付加した場合の構成を示す図である。
【図４】ゴルフ場などにおける給水／排水系統の一例を示す図である。
【図５】図４における給水系統の一例を示す図である。
【符号の説明】
【００１６】
１    揚水送水管
２    散水送水管
３    汚水管
４−１，４−２  給水管
５−１，５−２  分岐管
６    氷投入口
７    放水管
８    接続管
１０  調整池
２０  受水槽
３０  圧力タンク
４０  浄化槽
【図１】
0003109919.tif 000003
【図２】
0003109919.tif 000004
【図３】
0003109919.tif 000005
【図４】
0003109919.tif 000006
【図５】
0003109919.tif 000007